(57)【特許請求の範囲】
【請求項１】
所定の無線通信規格の無線通信規格信号を送受信し処理する無線通信装置であって、
第１の無線通信規格信号によって送られてくるデータおよび第２の無線通信規格信号によって送られてくるデータを受信するための無線部と、
前記無線部によって受信された受信データが第１の無線通信規格のデータであるか、または第２の無線通信規格のデータであるかを判別する同期識別器と、
前記同期識別器における判別結果に応じて音声処理を制御する制御部とを備え、
前記制御部は、
前記同期識別器が第１の無線通信規格の受信データであると判別した場合は第１のエラーの有無を検知し、前記同期識別器が第２の無線通信規格のデータであると判別した場合は第２のエラーの有無を検知するエラー判定手段と、
第１のエラーに関係する第１のエラー重みを決定し、第１のエラー重みに応じて受信データのエラー処理を行う第１のエラー重み処理手段と、
第２のエラーに関係する第２のエラー重みを決定し、第２のエラー重みに応じて受信データのエラー処理を行う第２のエラー重み処理手段とを有することを特徴とする無線通信装置。
【請求項２】
前記制御部は、前記第１の無線通信規格がコードレス電話である場合にコードレス電話における音声エラーの種類と音声エラーの重みとを検知し、その検知結果に応じた処理を行い、前記第２の無線通信規格がブルートゥースである場合にブルートゥースにおける音声エラーの種類と音声エラーの重みとを検知し、その検知結果に応じた処理を行うことを特徴とする請求項１に記載の無線通信装置。
【請求項３】
前記制御部は、スパイクノイズを検知することができ、スパイクノイズを検知した音声信号に対して所定の処理を行うスパイクノイズ検知処理手段を有することを特徴とする請求項１または２に記載の無線通信装置。
【請求項４】
前記第１のエラー重み処理手段及び前記第２のエラー重み処理手段は、それぞれ第１のエラー重み及び第２のエラー重みに応じて、音声エラーを検知した音声信号を減衰させ、前記音声エラーを検知した音声信号に対してフィルタリングを行うことを特徴とする請求項１に記載の無線通信装置。
【請求項５】
前記スパイクノイズ検知処理手段は、前回音声レベルと今回音声レベルとの差分が所定値を越えている場合、あるいは平均化されたレベルと今回音声レベルとの差分が所定値を越えている場合にスパイクノイズであると判定し、前記スパイクノイズを含む音声信号を減衰させ、前記スパイクノイズを含む音声信号に対してフィルタリングを行うことを特徴とする請求項３に記載の無線通信装置。
【請求項６】
所定の無線通信規格の無線通信規格信号を送受信し処理する無線通信装置であって、
第１の無線通信規格信号によって送られてくるデータおよび第２の無線通信規格信号によって送られてくるデータを受信するための無線部と、
前記無線部によって受信された受信データが第１の無線通信規格のデータであると認識した場合には第１の無線通信規格であることを示す信号を出力し、受信データが第２の無線通信規格のデータであると認識した場合には第２の無線通信規格であることを示す信号を出力する同期識別器と、
通知された無線通信規格のフォーマットに沿って受信データを分けるバースト受信データ作成器と、
前記同期識別器における判別結果に応じて音声処理を制御する制御部を備え、
前記制御部は、前記同期識別器からの信号により第１の無線通信規格または第２の無線通信規格のどちらのフォーマットに沿って受信データを分けるかを示す信号を前記バースト受信データ作成器へ送るとともにエラーの種類毎に個別にエラー重みを決定し、前記エラー重みに応じてアッテネータレベル若しくはフィルタレベルを音声エラー処理部へ通知するバースト制御部を有し、
前記バースト制御部から通知されたアッテネータのレベル若しくはフィルタのレベルにより音声の処理を行う音声エラー処理部と、
前記音声エラー処理部から出力された信号をデコードするスピーチデコーダを有することを特徴とする無線通信装置。
【発明の詳細な説明】
【０００１】
【発明の属する技術分野】
本発明は、所定の無線通信規格の無線通信規格信号を送受信し処理すると共に前記無線通信規格信号が含む音声データのエラーの検知が可能な無線通信装置に関するものである。
【０００２】
【従来の技術】
近年、親機や子機などの無線通信装置を用いて無線伝送される音声品質の向上が望まれている。
【０００３】
図１（ａ）は一般的な無線通信装置としての親機を示すブロック図であり、図１（ｂ）は一般的な無線通信装置としての子機を示すブロック図である。
【０００４】
図１（ａ）、図１（ｂ）において、１００はベースバンドＩＣ、２００は複数の無線通信規格信号を送受信する無線部、３３はＲＡＭ、３４はＲＯＭ、３５は複数の回線の制御を行う回線制御部、３７はスピーカ、３８はマイクロフォン、３９はキーボード、４０はＬＣＤ等の表示部である。
【０００５】
このように構成された無線通信装置においては従来、音声データのエラー（音声エラー）が発生した場合、音声データを削除するなどしていた。
【０００６】
【発明が解決しようとする課題】
このように、従来の無線通信装置では、音声エラーが発生した場合に音声データを削除するなどしており、エラーの種類やエラーの重みが反映されず、またスパイクノイズを検知できないという問題点を有していた。
【０００７】
この無線通信装置では、音声エラーの種類や音声エラーの重みを検知し、その検知結果に応じた音声エラーの処理を行うことができ、またスパイクノイズを検知できることが要求されている。
【０００８】
本発明は、この要求を満たすため、音声エラーの種類や音声エラーの重みを検知することができ、その検知結果に応じた音声エラーの処理を行うことができ、またスパイクノイズを検知することができる無線通信装置を提供することを目的とする。
【０００９】
【課題を解決するための手段】
上記課題を解決するために本発明の無線通信装置は、所定の無線通信規格の無線通信規格信号を送受信し処理する無線通信装置であって、無線通信規格信号を送受信する無線部と、無線通信規格信号を判別する同期識別器と、同期識別器における判別結果に応じた処理を行うと共に音声エラーの種類や音声エラーの重みを検知する制御部とを有する構成を備えている。
【００１０】
これにより、音声エラーの種類や音声エラーの重みを検知することができ、その検知結果に応じた音声エラーの処理を行うことができる無線通信装置が得られる。
【００１１】
【発明の実施の形態】
本発明の請求項１に記載の無線通信装置は、所定の無線通信規格の無線通信規格信号を送受信し処理する無線通信装置であって、第１の無線通信規格信号によって送られてくるデータおよび第２の無線通信規格信号によって送られてくるデータを受信するための無線部と、前記無線部によって受信された受信データが第１の無線通信規格のデータであるか、または第２の無線通信規格のデータであるかを判別する同期識別器と、前記同期識別器における判別結果に応じて音声処理を制御する制御部とを備え、前記制御部は、前記同期識別器が第１の無線通信規格の受信データであると判別した場合は第１のエラーの有無を検知し、前記同期識別器が第２の無線通信規格のデータであると判別した場合は第２のエラーの有無を検知するエラー判定手段と、第１のエラーに関係する第１のエラー重みを決定し、第１のエラー重みに応じて受信データのエラー処理を行う第１のエラー重み処理手段と、第２のエラーに関係する第２のエラー重みを決定し、第２のエラー重みに応じて受信データのエラー処理を行う第２のエラー重み処理手段とを有することとしたものである。
【００１２】
この構成により、異なる無線通信規格毎に音声エラーの重みを検知することができるので、その検知結果に応じた音声エラーの処理を行うことができ、音声エラーに対してきめ細かに対応して音声信号の品質向上を図ることができるという作用を有する。
【００１３】
請求項２に記載の無線通信装置は、請求項１に記載の無線通信装置において、前記制御部は、前記第１の無線通信規格がコードレス電話である場合にコードレス電話における音声エラーの種類と音声エラーの重みとを検知し、その検知結果に応じた処理を行い、前記第２の無線通信規格がブルートゥースである場合にブルートゥースにおける音声エラーの種類と音声エラーの重みとを検知し、その検知結果に応じた処理を行うこととしたものである。
【００１４】
この構成により、複数の無線通信規格の信号が共存する場合にも、それぞれの無線通信規格信号に応じて音声エラーの種類や音声エラーの重みを検知することができ、その検知結果に応じた処理を行うことができるという作用を有する。
【００１５】
請求項３に記載の無線通信装置は、請求項１または２に記載の無線通信装置において、制御部は、スパイクノイズを検知することができ、スパイクノイズを検知した音声信号に対して所定の処理を行うスパイクノイズ検知処理手段を有することとしたものである。
【００１６】
この構成により、音声エラーの種類や音声エラーの重みを検知することができるのみならず、スパイクノイズを検知することができ、その検知結果に応じた処理を行うことができるという作用を有する。
【００１７】
請求項４に記載の無線通信装置は、請求項１に記載の無線通信装置において、前記第１のエラー重み処理手段及び前記第２のエラー重み処理手段は、それぞれ第１のエラー重み及び第２のエラー重みに応じて音声エラーを検知した音声信号を減衰させ、音声エラーを検知した音声信号に対してフィルタリングを行うこととしたものである。
【００１８】
この構成により、音声エラーを検知した音声信号に対して適正な処理を施して品質の向上を図ることができるという作用を有する。
【００１９】
請求項５に記載の無線通信装置は、請求項３に記載の無線通信装置において、スパイクノイズ検知処理手段は、前回音声レベルと今回音声レベルとの差分が所定値を越えている場合、あるいは平均化されたレベルと今回音声レベルとの差分が所定値を越えている場合にスパイクノイズであると判定し、スパイクノイズを含む音声信号を減衰させ、スパイクノイズを含む音声信号に対してフィルタリングを行うこととしたものである。
【００２０】
この構成により、音声エラーを検知した音声信号に対して適正な処理を施すことができるのみならず、スパイクノイズを含む音声信号に対しも適正な処理を施すことができ、更に音声信号の品質の向上を図ることができるという作用を有する。
【００２１】
以下、本発明の実施の形態について、図１〜１３を用いて説明する。
【００２２】
（実施の形態１）
図２、図３は本発明の実施の形態１による無線通信装置としての親機、子機を示すブロック図である。
【００２３】
親機の構成を示す図２および子機の構成を示す図３において、同じ機能を有する部位には同じ図番を付し、重複する説明は省略する。図２および図３において、１は送受信を切り替える送受信切替えスイッチ、２はデュアルモード（ここではブルートゥースモードとコードレス電話モード）での受信を行うデュアルモード受信機、３、１４、２８はデータのバッファとなるデータバッファ、４は上記デュアルモードのうち通知されたモードのフォーマットで受信データを分けるバースト受信データ作成器、５は受信データがブルートゥース（標準化団体Ｂｌｕｅｔｏｏｔｈ  ＳＩＧ（ｔｈｅ  Ｂｌｕｅｔｏｏｔｈ  Ｓｐｅｃｉａｌ  Ｉｎｔｅｒｅｓｔ  Ｇｒｏｕｐ）で定められた無線通信規格）のデータであると認識した場合にはブルートゥースデータであることを示す信号（ブルートゥース通知信号）を出力し、受信データがコードレス電話のデータであると認識した場合にはコードレス電話データであることを示す信号（コードレス電話通知信号）を出力する同期識別器である。図２において、６は親機全体を制御する親機制御部である。７は同期識別器５からの通知によりブルートゥースまたはコードレス電話のどちらを受信したかを認識し、バースト受信データ作成器４にどちらのモードにするかをモードセレクト信号ｅにより通知するバースト制御部である。図２および図３において、８は周波数シンセサイザである。図３において、９は子機全体を制御する子機制御部である。図２において、１０〜１３はバースト制御部７から通知されたアッテネータのレベル、フィルタのレベルにより音声の処理を行う音声エラー処理部、１５〜１８は受信した音声信号をデコードするスピーチデコーダ、１９はモデム送信を行うモデム送信部である。図２および図３において、２０はデュアルモードでの送信電力を制御しつつ送信を行うデュアルモード送信機、２１はバースト変調を行うバースト変調器、２３はバースト制御部７から通知されたモードのフォーマットに応じて送信するパケットを作成するバースト送信データ作成器、２４〜２７は送信する音声信号をエンコードするスピーチエンコーダである。図２において、２９はモデム受信を行うモデム受信部である。図２および図３において、３０はコードレス電話モードにおいてスロットを計数するコードレススロットカウンタ（Ｃｏｒｄｌｅｓｓ  Ｓｌｏｔ  Ｃｏｕｎｔｅｒ）、３１はブルートゥースモードにおいてスロットを計数するブルートゥーススロットカウンタ（Ｂｌｕｅｔｏｏｔｈ  Ｓｌｏｔ  Ｃｏｕｎｔｅｒ）、３２はスロット割込みを指示するスロット割込み器、３３はＲＯＭ、３４はＲＡＭ、３５は外部との間で回線を制御する回線制御部、３６はアンテナである。図３において、３７はスピーカ、３８はマイクロフォンである。
【００２４】
ここで、図１（ａ）、（ｂ）と図２、図３との対応について説明する。図１（ａ）、（ｂ）の無線部２００は図２、図３の構成要素１、２、８、２０に相当し、図１（ａ）のベースバンド１００は図２の構成要素１、２、８、２０、３３〜３５を除く部分に相当し、図１（ｂ）のベースバンド１００は図３の構成要素１、２、８、２０、３７、３８を除く部分に相当する。
【００２５】
このように構成された無線通信装置としての親機について、その動作の概要を図２を用いて説明する。
【００２６】
送受信切替えスイッチ１を介してデュアルモード受信機でモードに応じて受信された受信データはデータバッファ３を介してバースト受信データ作成器４に入力される。バースト受信データ作成器４は、バースト制御部７から通知されたモードのフォーマットで受信データを分け、受信したデータの内容を判読する。同期識別器５は、デュアルモード受信機２から受信データを入力し、受信データがデュアルモードのうちのブルートゥースモードであるかコードレス電話モードであるかを認識し、その認識結果を親機制御部６のバースト制御部７に通知する。
【００２７】
ここで、ブルートゥースとコードレス電話のデータフォーマットについて説明する。図１１はブルートゥースのデータフォーマットを示すフォーマット図であり、図１２はコードレス電話のデータフォーマットを示すフォーマット図である。図１１に示すように、ブルートゥースのデータは、アクセスコード（Ａｃｃｅｓｓ  Ｃｏｄｅ）、ヘッダ（Ｈｅａｄｅｒ）およびペイロード（Ｐａｙｌｏａｄ）からなり、また、図１２に示すように、コードレス電話のデータは、プリアンブル（Ｐｒｅａｍｂｌｅ）、同期（Ｓｙｎｃ）、Ａ部（Ａ−ｆｉｅｌｄ）、Ｂ部（Ｂ−ｆｉｅｌｄ）およびＣＲＣから成る。
【００２８】
同期識別器５は、受信データがアクセスコード（図１１参照）と一致するデータを含む場合にはバースト制御部７にブルートゥースデータであることを通知信号ｃにより通知し、受信データが図１２のシンクワード（Ｓｙｎｃｗｏｒｄ、同期語）と一致するデータを含む場合にはバースト制御部７にコードレス電話データであることを通知信号ｃにより通知し、バースト制御部７は、同期識別器５から通知を受けると、そのときのスロットカウンタ（ブルートゥーススロットカウント３０またはブルートゥーススロットカウンタ３１）の番号とモードとをＲＡＭ３４に記憶させる。なお、バースト制御部７は、すでに同期しているか又は接続中の場合は同期識別器５からの通知がなくても、バースト受信データ作成器４にモードを設定することができる。
【００２９】
バースト受信データ作成器４は、親機制御部６に無線制御データａおよび無線クオリティデータｂを出力する。無線制御データａはコードレス電話モードにおいて接続・同期を行うときに通信するデータであり、無線クオリティデータｂはコードレス電話データのプリアンブル（Ｐｒｅａｍｂｌｅ、図１２参照）を受信中に生成される受信パルスのアイデータ（Ｅｙｅ、パルスのデューティ比がどれだけ５０％に近いかを示すデータ）を含むデータであり、これはアンテナダイバーシティや受信ゲインの切替えを行うためのデータである。またバースト受信データ作成器４は、無線クオリティデータｂにより、ブルートゥースモードではアクセスコード、ヘッダ（Ｈｅａｄｅｒ）（図１１参照）のエラーの有無やエラーの割合いなどをバースト制御部７に通知し、コードレス電話モードではＳｙｎｃｗｏｒｄ、Ａ部（Ａ−ｆｉｅｌｄ）、Ｂ部（Ｂ−ｆｉｅｌｄ）のエラーの有無、エラーの割合いなどを通知する。バースト制御部７はモードセレクト信号ｅによりバースト受信データ作成器４にモードを設定する。バースト制御部７は又、無線クオリティデータｂにより通知されたエラーの項目により重み付けを行い、アッテネータレベル、フィルタレベルを音声エラー処理部１０〜１３に通知する。
【００３０】
音声エラー処理部１０〜１３は、バースト制御部７からの通知により音声データの処理を行うと共に、スパイクノイズを常にチェックし、スパイクノイズを検知した場合、アッテネータの減衰度、フィルタの特性の制御を行う。バースト受信データ作成器４からの受信データはデータバッファ１４、モデム送信部１９、回線制御部３５を介して回線へ出力される。スピーチデコーダ１５〜１８は音声エラー処理部１０〜１３からのエラー処理された受信データ（音声データ）をデコードして音声信号として回線制御部３５から回線へ出力する。
【００３１】
回線からの音声信号は、回線制御部３５からスピーチエンコーダ２４〜２７に入力されてエンコードされ、音声データとしてバースト送信データ作成器２３に出力される。データは回線制御部３５、モデム受信部２９、データバッファ２８を介してバースト送信データ作成器２３に入力される。このときバースト制御部７は、ＲＡＭ３４に記憶されているデータとコードレススロットカウンタ３０のカウントデータとブルートゥーススロットカウンタ３１のカウントデータとから、送信するスロットがコードレス電話のスロットかブルートゥースのスロットかを判定し、バースト送信データ作成器２３にモードセレクト信号ｆによりモードの通知を行う。バースト送信データ作成器２３は、無線制御データｄを入力するとともに、通知されたモードのフォーマットに応じて送信するパケットデータを作成し、そのパケットデータをバースト変調器２１を介してデュアルモード送信機２０に出力する。デュアルモード送信機２０は、親機制御部６により、モードに応じた送信電力に制御される。デュアルモード送信機２０出力の上記パケットデータは送受信切替えスイッチ１を経てアンテナ３６から空中に電波信号として放射され、この電波信号は例えば図３の子機で受信される。デュアルモード送信機２０の送信出力としては、ブルートゥースモードでは２０ｄＢｍ最大、コードレス電話の場合には３０ｄＢｍ最大とすることが好適である。
【００３２】
次に、子機について、その動作の概要を図３を用いて説明する。
【００３３】
送受信切替えスイッチ１を介してデュアルモード受信機でモードに応じて受信された受信データはデータバッファ３を介してバースト受信データ作成器４に入力される。バースト受信データ作成器４は、バースト制御部７から通知されたモードのフォーマットで受信データを分け、受信したデータの内容を判読する。同期識別器５は、デュアルモード受信機２から受信データを入力し、受信データがデュアルモードのうちのブルートゥースモードであるかコードレス電話モードであるかを認識し、その認識結果を子機制御部９のバースト制御部７に通知する。ブルートゥースとコードレス電話のデータフォーマットは親機についての説明で述べた通りである。
【００３４】
バースト受信データ作成器４は、子機制御部９に無線制御データａおよび無線クオリティデータｂを出力する。無線制御データａはコードレス電話モードにおいて接続・同期を行うときに通信するデータであり、無線クオリティデータｂはコードレス電話データのプリアンブル（Ｐｒｅａｍｂｌｅ、図１２参照）を受信中に生成される受信パルスのアイデータ（Ｅｙｅ、パルスのデューティ比がどれだけ５０％に近いかを示すデータ）を含むデータであり、これはアンテナダイバーシティや受信ゲインの切替えを行うためのデータである。またバースト受信データ作成器４は、無線クオリティデータｂにより、ブルートゥースモードではアクセスコード、ヘッダ（Ｈｅａｄｅｒ）（図１１参照）のエラーの有無やエラーの割合いなどをバースト制御部７に通知し、コードレス電話モードではＳｙｎｃｗｏｒｄ、Ａ部（Ａ−ｆｉｅｌｄ）、Ｂ部（Ｂ−ｆｉｅｌｄ）のエラーの有無、エラーの割合いなどを通知する。バースト制御部７はモードセレクト信号ｅによりバースト受信データ作成器４にモードを設定する。バースト制御部７は又、無線クオリティデータｂにより通知されたエラーの項目により重み付けを行い、アッテネータレベル、フィルタレベルを音声エラー処理部１０〜１３に通知する。
【００３５】
音声エラー処理部１０は、バースト制御部７からの通知により音声データの処理を行うと共に、スパイクノイズを常にチェックし、スパイクノイズを検知した場合、アッテネータの減衰度、フィルタの特性の制御を行う。バースト受信データ作成器４からの受信データはデータバッファ１４を介してパソコンなどへ出力される。スピーチデコーダ１５は音声エラー処理部１０からのエラー処理された受信データ（音声データ）をデコードして音声信号としてスピーカ３７に出力する。
【００３６】
マイクロフォン３８からの音声信号はスピーチエンコーダ２４に入力されてエンコードされ、音声データとしてバースト送信データ作成器２３に出力される。パソコンなどからＵＳＢなどを使って入力されたデータはデータバッファ２８を介してバースト送信データ作成器２３に入力される。このときバースト制御部７は、ＲＡＭ３４に記憶されているデータとコードレススロットカウンタ３０のカウントデータとブルートゥーススロットカウンタ３１のカウントデータとから、送信するスロットがコードレス電話のスロットかブルートゥースのスロットかを判定し、バースト送信データ作成器２３にモードセレクト信号ｆによりモードの通知を行う。バースト送信データ作成器２３は、無線制御データｄを入力するとともに、通知されたモードのフォーマットに応じて送信するパケットデータを作成し、そのパケットデータをバースト変調器２１を介してデュアルモード送信機２０に出力する。デュアルモード送信機２０は、子機制御部９により、モードに応じた送信電力に制御される。デュアルモード送信機２０出力の上記パケットデータは送受信切替えスイッチ１を経てアンテナ３６から空中に電波信号として放射され、この電波信号は例えば図２の親機で受信される。
【００３７】
次に、親機制御部６および子機制御部９について、その詳細動作を図４〜図１０を用いて説明する。図４は親機制御部６および子機制御部９における機能実現手段を処理対応で示す機能ブロック図であり、図５は親機制御部６および子機制御部９における機能実現手段をステップ対応で示す機能ブロック図、図６〜図１０は親機制御部６および子機制御部９に共通な動作を示す。図６、図７はコードレス電話受信エラー処理（ＣＤＬ受信エラー処理）を示すフローチャート、図８、図９はブルートゥース受信エラー処理を示すフローチャート、図１０はスパイクノイズ検知処理を示すフローチャートである。
【００３８】
図４において、４１はコードレス電話受信エラー処理を行うコードレス電話受信エラー処理手段（ＣＤＬ受信エラー処理手段）、４２はブルートゥース受信エラー処理を行うブルートゥース受信エラー処理手段（ＢＴ受信エラー処理手段）、４３はスパイクノイズ検知処理を行うスパイクノイズ検知処理手段である。
【００３９】
また図５において、５１は音声とデータとを判別する音声・データ判別手段、５２はエラーの有無を判定するエラー判定手段、５３はエラーに応じた処理を行うエラー処理手段、５４はエラー重みに応じた処理を行うエラー重み処理手段、５５は前回音声レベルと今回音声レベルとの差分を計算する差分計算手段、５６は上記差分が所定値を越えているか否かを判定する差分判定手段、５７は差分に応じた処理を行う差分処理手段である。
【００４０】
このような機能実現手段を有する親機制御部６および子機制御部９について、音声エラー処理部１０〜１３における音声エラーの処理動作を図６〜図１０を用いて説明する。上述したように、親機制御部６と子機制御部９は共通的に図６〜図１０の処理動作を行う。
【００４１】
最初に、ＣＤＬ受信エラー処理手段４１が行うコードレス電話受信エラー処理を図６、図７を用いて説明する。
【００４２】
まず、音声・データ判別手段５１は受信データが音声データかデータかを判別し（Ｓ１）、音声データの場合には次にエラー判定手段５２は、同期エラーが発生しているか否か（Ｓ２）、コードレス電話データフォーマットのＢ部（Ｂ−ｆｉｅｌｄ）エラーが第１のスレッショールドレベルを越えているか否かを判定する（Ｓ３）。同期エラーが発生しているか、またはＢ−ｆｉｅｌｄエラーが第１のスレッショールドレベルを越えている場合には、ステップＳ１２へ移行し、同期エラーが発生せず、かつＢ−ｆｉｅｌｄエラーが第１のスレッショールドレベルを越えていない場合にはステップＳ４に移行する。
【００４３】
ステップＳ４では、Ｂ−ｆｉｅｌｄエラーが第１のスレッショールドレベルよりも低い第２のスレッショールドレベルを越えているか否かを判定し、越えている場合にはステップＳ１５へ移行し、越えていない場合にはステップＳ５へ移行する。ステップＳ５では、Ａ−ｆｉｅｌｄエラーの有無を判定し、Ａ−ｆｉｅｌｄエラーが有る場合にはステップＳ１５へ移行し、Ａ−ｆｉｅｌｄエラーがない場合にはエラー判定手段５２は同期語エラーの有無を判定し（Ｓ６）、有る場合にはステップＳ１５へ移行し、無い場合にはエラー無しと判定し（Ｓ７）、ステップＳ８へ移行する。ステップＳ８では、エラー重み処理手段５４は、前回受信時の音声エラーの重みから一定の値を減算し、減算結果の重みに応じて音声エラー処理部１０〜１３のアッテネータ（図示せず）において音声信号を減衰させ（Ｓ９）、また減算結果の重みに応じて音声処理部１０〜１３のフィルタ（図示せず）の係数を設定してフィルタリングを行う（Ｓ１０）。その後、図１０のスパイクノイズ検知処理へ移行する。
【００４４】
ステップＳ１でデータであると判定し、エラー判定手段５２がエラー有りと判定したときはデータを出力せず、エラー無しと判定したときはデータを出力する（Ｓ１１）。また、ステップＳ２で同期エラーが発生していると判定するか、またはステップＳ３でＢ−ｆｉｅｌｄエラーが第１のスレッショールドレベルを越えている場合には、エラー処理手段５３は、最新のＢ−ｆｉｅｌｄデータを破棄し、最後にエラー無しで受信した音声データを使用し（この場合、ミュート（無音）とすることも可能である）（Ｓ１２）、上記使用する音声データを減衰させ（Ｓ１３）、その音声データに対してフィルタリングを行い（Ｓ１４）、図１０のスパイクノイズ検知処理へ移行する。
【００４５】
ステップＳ５でＡ−ｆｉｅｌｄエラーが有ると判定するか、ステップＳ６で同期語エラーが有ると判定した場合、エラー重み処理手段５４は、前回受信時の音声エラーの重みに今回の重みを加算し（Ｓ１５）、（Ｓ１６）、加算結果としての重みに応じて音声信号を減衰させ（Ｓ１７）、その重みに応じてフィルタの係数を設定してフィルタリングを行い（Ｓ１８）、その後、図１０のスパイクノイズ検知処理へ移行する。
【００４６】
次に、ＢＴ受信エラー処理手段４２が行うブルートゥース受信エラー処理を図８、図９を用いて説明する。
【００４７】
まず、音声・データ判別手段５１は受信データが音声データかデータかを判別し（Ｓ２１）、音声データの場合には次にエラー判定手段５２は、同期エラーが発生しているか否かを判定し（Ｓ２２）、同期エラーが発生している場合にはステップＳ３１へ移行する。同期エラーが発生していない場合には次に、ブルートゥースデータフォーマットのヘッダ（Ｈｅａｄｅｒ）エラー（図１１参照）が第１のスレッショールドレベルを越えているか否かを判定し（Ｓ２３）、Ｈｅａｄｅｒエラーが第１のスレッショールドレベルを越えている場合には、ステップＳ３４へ移行し、Ｈｅａｄｅｒエラーが第１のスレッショールドレベルを越えていない場合にはステップＳ２４に移行する。
【００４８】
ステップＳ２４では、Ｈｅａｄｅｒエラーが第１のスレッショールドレベルよりも高い第２のスレッショールドレベルを越えているか否かを判定し、越えている場合にはステップＳ３４へ移行し、越えていない場合にはステップＳ２５へ移行する。ステップＳ２５では、アクセスコード（Ａｃｃｅｓｓ  Ｃｏｄｅ）エラーの有無を判定し、アクセスコードエラーが有る場合にはステップＳ３４へ移行し、アクセスコードエラーがない場合にはエラー判定手段５２はエラー無しと判定し（Ｓ２６）、ステップＳ２７へ移行する。ステップＳ２７では、エラー重み処理手段５４は、前回受信時の音声エラーの重みから一定の値を減算し、減算結果の重みに応じて音声エラー処理部１０〜１３のアッテネータにおいて音声信号を減衰させ（Ｓ２８）、また減算結果の重みに応じて音声処理部１０〜１３のフィルタの係数を設定してフィルタリングを行う（Ｓ２９）。その後、図１０のスパイクノイズ検知処理へ移行する。
【００４９】
ステップＳ２１でデータであると判定し、エラー判定手段５２がエラー有りと判定したときはデータを出力せず、エラー無しと判定したときはデータを出力する（Ｓ３０）。また、ステップＳ２２で同期エラーが発生していると判定した場合、エラー処理手段５３は、最新のＰａｙｌｏａｄデータ（図１１参照）を破棄し、最後にエラー無しで受信した音声データを使用し（この場合、ミュート（無音）とすることも可能である）（Ｓ３１）、上記使用する音声データを減衰させ（Ｓ３２）、その音声データに対してフィルタリングを行い（Ｓ３３）、、図１０のスパイクノイズ検知処理へ移行する。また、ステップＳ３でＨｅａｄｅｒエラーが第１のスレッショールドレベルを越えているか、またはステップＳ２４でＨｅａｄｅｒエラーが第２のスレッショールドレベルを越えているか、あるいはステップＳ２５でアクセスコードエラーが有ると判定した場合には、エラー重み処理手段５４は、前回受信時の音声エラーの重みに今回の重みを加算し（Ｓ３４）、（Ｓ３５）、加算結果としての重みに応じて音声信号を減衰させ（Ｓ３６）、その重みに応じてフィルタの係数を設定してフィルタリングを行い（Ｓ３７）、その後、図１０のスパイクノイズ検知処理へ移行する。
【００５０】
最後に、スパイクノイズ検知処理手段４３が行うスパイクノイズ検知処理について図１０を用いて説明する。
【００５１】
図１０において、まず、差分計算手段５５は、前回音声レベルと今回音声レベルとのレベルの差分をデジタル的に計算し（Ｓ４１）、次に差分判定手段５６は、ステップＳ４１で計算した差分が所定のスレッショールドレベルを越えるか否かを判定し（Ｓ４２）、越えたと判定したときは予め設定した減衰量（音声エラー処理部１０〜１３のアッテネータの減衰量）で今回の音声信号を減衰させ（Ｓ４３）、予め設定したフィルタ特性でフィルタリングを行い（Ｓ４４）、音声を再生する（Ｓ４５）。ステップＳ４１で計算した差分が所定のスレッショールドレベルを越えていないと差分判定手段が判定した場合（Ｓ４２）、そのまま音声を再生する（Ｓ４６）。
【００５２】
図１３は従来からのコードレス電話データを示すフォーマット図である。図１３においてはＣＲＣは４ビットであり、本実施の形態におけるＣＲＣは図１２に示すように６０ビットである。ＣＲＣのビット数を増加させることにより、ＣＲＣデータが豊富となり、図６〜図１０で述べたような音声エラーに対するきめ細かな処理を実現できる。
【００５３】
以上のように本実施の形態によれば、無線通信規格信号を送受信する無線部１、２、８、２０と、無線通信規格信号を判別する同期識別器５と、同期識別器５における判別結果に応じた処理を行うと共に音声エラーの種類や音声エラーの重みを検知する制御部６、９とを有することにより、音声エラーの種類や音声エラーの重みを検知することができるので、その検知結果に応じた音声エラーの処理を行うことができ、音声エラーに対してきめ細かに対応して音声信号の品質向上を図ることができる。
【００５４】
また、制御部６、９は、無線通信規格信号がコードレス電話信号である場合にコードレス電話における音声エラーの種類と音声エラーの重みとを検知し、その検知結果に応じた処理を行うコードレス電話受信エラー処理手段４１と、無線通信規格信号がブルートゥース信号である場合にブルートゥースにおける音声エラーの種類と音声エラーの重みとを検知し、その検知結果に応じた処理を行うブルートゥース受信エラー処理手段４２とを有することにより、無線通信規格信号としてコードレス電話信号とブルートゥース信号が共存する場合にも、それぞれの無線通信規格信号に応じて音声エラーの種類や音声エラーの重みを検知することができ、その検知結果に応じた処理を行うことができる。
【００５５】
さらに、制御部６、９は、スパイクノイズを検知することができ、スパイクノイズを検知した音声信号に対して所定の処理を行うスパイクノイズ検知処理手段４３を有することにより、音声エラーの種類や音声エラーの重みを検知することができるのみならず、スパイクノイズを検知することができ、その検知結果に応じた処理を行うことができる。
【００５６】
さらに、コードレス電話受信エラー処理手段４１とブルートゥース受信エラー処理手段４２とはそれぞれ、音声エラーを検知した音声信号を減衰させ、音声エラーを検知した音声信号に対してフィルタリングを行うことにより、音声エラーを検知した音声信号に対して適正な処理を施して品質の向上を図ることができる。
【００５７】
さらに、スパイクノイズ検知処理手段４３は、前回音声レベルと今回音声レベルとの差分が所定値を越えている場合にスパイクノイズであると判定し、スパイクノイズを含む音声信号を減衰させ、スパイクノイズを含む音声信号に対してフィルタリングを行うことにより、音声エラーを検知した音声信号に対して適正な処理を施すことができるのみならず、スパイクノイズを含む音声信号に対しも適正な処理を施すことができ、更に音声信号の品質の向上を図ることができる。
【００５８】
【発明の効果】
以上説明したように本発明は、所定の無線通信規格の無線通信規格信号を送受信し処理する無線通信装置であって、第１の無線通信規格信号によって送られてくるデータおよび第２の無線通信規格信号によって送られてくるデータを受信するための無線部と、前記無線部によって受信された受信データが第１の無線通信規格のデータであるか、または第２の無線通信規格のデータであるかを判別する同期識別器と、前記同期識別器における判別結果に応じて音声処理を制御する制御部とを備え、前記制御部は、前記同期識別器が第１の無線通信規格の受信データであると判別した場合は第１のエラーの有無を検知し、前記同期識別器が第２の無線通信規格のデータであると判別した場合は第２のエラーの有無を検知するエラー判定手段と、第１のエラーに関係する第１のエラー重みを決定し、第１のエラー重みに応じて受信データのエラー処理を行う第１のエラー重み処理手段と、第２のエラーに関係する第２のエラー重みを決定し、第２のエラー重みに応じて受信データのエラー処理を行う第２のエラー重み処理手段とを有することにより、異なる無線通信規格毎に音声エラーの重みを検知することができるので、その検知結果に応じた音声エラーの処理を行うことができ、音声エラーに対してきめ細かに対応して音声信号の品質向上を図ることができるという有利な効果が得られる。
【００５９】
さらに前記制御部は、第１の無線通信規格がコードレス電話である場合にコードレス電話における音声エラーの種類と音声エラーの重みとを検知し、その検知結果に応じた処理を行い、前記第２の無線通信規格がブルートゥースである場合にブルートゥースにおける音声エラーの種類と音声エラーの重みとを検知し、その検知結果に応じた処理を行うことにより、無線通信規格信号としてコードレス電話信号とブルートゥース信号が共存する場合にも、それぞれの無線通信規格信号に応じて音声エラーの種類や音声エラーの重みを検知することができ、その検知結果に応じた処理を行うことができるという有利な効果が得られる。
【００６０】
さらに前記制御部は、スパイクノイズを検知することができ、スパイクノイズを検知した音声信号に対して所定の処理を行うスパイクノイズ検知処理手段を有することにより、音声エラーの種類や音声エラーの重みを検知することができるのみならず、スパイクノイズを検知することができ、その検知結果に応じた処理を行うことができるという有利な効果が得られる。
【００６１】
さらに前記第１のエラー重み処理手段及び第２のエラー重み処理手段は、それぞれ第１のエラー重み及び第２のエラー重みに応じて音声エラーを検知した音声信号を減衰させ、音声エラーを検知した音声信号に対してフィルタリングを行うことにより、音声エラーを検知した音声信号に対して適正な処理を施して品質の向上を図ることができるという有利な効果が得られる。
【００６２】
さらに前記スパイクノイズ検知処理手段は、前回音声レベルと今回音声レベルとの差分が所定値を越えている場合にスパイクノイズであると判定し、スパイクノイズを含む音声信号を減衰させ、スパイクノイズを含む音声信号に対してフィルタリングを行うことにより、音声エラーを検知した音声信号に対して適正な処理を施すことができるのみならず、スパイクノイズを含む音声信号に対しも適正な処理を施すことができ、更に音声信号の品質の向上を図ることができるという有利な効果が得られる。
【図面の簡単な説明】
【図１】（ａ）一般的な無線通信装置としての親機を示すブロック図
（ｂ）一般的な無線通信装置としての子機を示すブロック図
【図２】本発明の実施の形態１による無線通信装置としての親機を示すブロック図
【図３】本発明の実施の形態１による無線通信装置としての子機を示すブロック図
【図４】親機制御部および子機制御部における機能実現手段を処理対応で示す機能ブロック図
【図５】親機制御部および子機制御部における機能実現手段をステップ対応で示す機能ブロック図
【図６】コードレス電話受信エラー処理を示すフローチャート
【図７】コードレス電話受信エラー処理を示すフローチャート
【図８】ブルートゥース受信エラー処理を示すフローチャート
【図９】ブルートゥース受信エラー処理を示すフローチャート
【図１０】スパイクノイズ検知処理を示すフローチャート
【図１１】ブルートゥースのデータフォーマットを示すフォーマット図
【図１２】コードレス電話のデータフォーマットを示すフォーマット図
【図１３】従来からのコードレス電話データを示すフォーマット図
【符号の説明】
１  送受信切替えスイッチ
２  デュアルモード受信機
３  データバッファ
４  バースト受信データ作成器
５  同期識別器
６  親機制御部
７  バースト制御部
８  周波数シンセサイザ
９  子機制御部
１０、１１、、１２、１３  音声エラー処理部
１４、２８  データバッファ
１５、１６、１７、１８  スピーチデコーダ
１９  モデム送信部
２０  デュアルモード送信機
２１  バースト変調器
２３  バースト送信データ作成器
２４、２５、２６、２７  スピーチエンコーダ
２９  モデム受信部
３０  コードレス電話スロットカウンタ
３１  ブルートゥーススロットカウンタ
３３  ＲＡＭ
３４  ＲＯＭ
３５  回線制御部
３６  アンテナ
３７  スピーカ
３８  マイクロフォン
３９  キーボード（ＫＥＹ）
４０  表示部（ＬＣＤ）
４１  コードレス電話受信エラー処理手段（ＣＤＬ受信エラー処理手段）
４２  ブルートゥース受信エラー処理手段（ＢＴ受信エラー処理手段）
４３  スパイクノイズ検知処理手段
５１  音声・データ判別手段
５２  エラー判定手段
５３  エラー処理手段
５４  エラー重み処理手段
５５  差分計算手段
５６  差分判定手段
５７  差分処理手段
１００  ベースバンドＩＣ
２００  無線部
【図１】
0004770087.tif 000002
【図２】
0004770087.tif 000003
【図３】
0004770087.tif 000004
【図４】
0004770087.tif 000005
【図５】
0004770087.tif 000006
【図６】
0004770087.tif 000007
【図７】
0004770087.tif 000008
【図８】
0004770087.tif 000009
【図９】
0004770087.tif 000010
【図１０】
0004770087.tif 000011
【図１１】
0004770087.tif 000012
【図１２】
0004770087.tif 000013
【図１３】
0004770087.tif 000014